(57)【要約】【課題】広告チラシなどを封筒に封入してダイレクトメールとして送る場合、封筒の内側面となったエリアや、接着されたフラップ部分なども広告エリアとして利用できるようにした封筒を提供する。【解決手段】封筒表紙片と封筒裏紙片とが紙片折り畳み予定線を境にして連接され、前記封筒表紙片の前記封筒裏紙片が連接されていない他の３周縁側に、３本のフラップ折り畳み予定線を境にして３つのフラップがそれぞれ連接された封筒用紙において、前記紙片折り畳み予定線から前記封筒表紙片と前記封筒裏紙片が折り畳まれ、前記３本のフラップ折り畳み予定線から前記３つのフラップがそれぞれ折り畳まれた場合に、前記封筒裏紙片と前記３つのフラップが重なり合う部分に、それぞれ加圧することで接着し、接着後に剥離可能な接着剤層が設けられている。【選択図】        図１
2012086844.tif 000002
【特許請求の範囲】
【請求項１】
封筒表紙片と封筒裏紙片とが紙片折り畳み予定線を境にして連接され、前記封筒表紙片の前記封筒裏紙片が連接されていない他の３周縁側に、３本のフラップ折り畳み予定線を境にして３つのフラップがそれぞれ連接された封筒用紙において、
前記紙片折り畳み予定線から前記封筒表紙片と前記封筒裏紙片が折り畳まれ、前記３本のフラップ折り畳み予定線から前記３つのフラップがそれぞれ折り畳まれた場合に、前記封筒裏紙片と前記３つのフラップが重なり合う部分に、それぞれ加圧することで接着し、接着後に剥離可能な接着剤層が設けられていることを特徴とする封筒用紙。
【請求項２】
請求項１記載の封筒用紙から構成される封筒において、
前記封筒裏紙片が、前記紙片折り畳み予定線から前記封筒表紙片上に折り畳まれ、
前記３つのフラップのうち少なくとも２つのフラップが前記フラップ折り畳み予定線から前記封筒裏面片の上側に折り畳まれ、
前記２つのフラップと前記封筒裏紙片が重なり合う部分が、加圧により接着されていることを特徴とする封筒。
【請求項３】
請求項１記載の封筒用紙から構成される封筒において、
前記３つのフラップのうち少なくとも２つのフラップが前記フラップ折り畳み予定線から前記封筒表紙片の裏面側に折り畳まれ、
前記封筒裏紙片が、前記２つのフラップの上側に折り畳まれ、
前記２つのフラップと前記封筒裏紙片が重なり合う部分が、加圧により接着されていることを特徴とする封筒。
【請求項４】
前記フラップ折り畳み予定線から折り畳まれるフラップに、広告情報が表示されていることを特徴とする請求項２又は３に記載の封筒。
【発明の詳細な説明】
【技術分野】
【０００１】
本発明は、広告や宣伝などに使用するダイレクトメールに用いる封筒用紙及び封筒に関する。
【背景技術】
【０００２】
従来、個人向けに種々の商品などの広告や宣伝をする場合に、葉書や封筒を利用したダイレクトメールにより販売促進活動を行うことが行われている。
これらのダイレクトメールでは、広告や宣伝情報を葉書に印刷、または広告や宣伝情報を印刷したチラシなどを封筒に入れて郵送するなどして行うことが多い。
また、通常ダイレクトメールを郵送する場合には、発送するダイレクトメールの部数が多いことから、できるだけ少ないコストでより多くの情報量を送れるようにすることが好ましい。
したがって、２つ折り状態で剥離可能に仮接着させた葉書を用いることで、従来の葉書の２倍の表示領域を有する見開き葉書がダイレクトメールに用いられている。
【０００３】
しかしながら、見開き葉書では、まだ広告エリアが足りないことも多く、その場合には、チラシなどを封筒に封入させたダイレクトメールを用いることになるが、従来の封筒では、封筒を構成するための折り曲げられたフラップの接着部分を有することから、一般的に封筒自体に広告を表示できる広告エリアが封筒の表面と裏面だけで、封筒の内側となる面については広告エリアとして活用できなかった。（特許文献１〜３、参照）
つまり、表示することが可能なエリアとしては、封筒を構成する表紙と裏紙のそれぞれの表裏面の４面を有しているものの、広告エリアとして活用できるのはその半分の２面だけのエリアとなり、残りの２面については広告エリアとして利用できないという制約があった。
【先行技術文献】
【特許文献】
【０００４】
【特許文献１】特開平８−２５３３号公報
【特許文献２】特開２００４−３５２３０３号公報
【特許文献３】特開２００８−５６３２０号公報
【発明の概要】
【発明が解決しようとする課題】
【０００５】
そこで、本発明は、広告チラシなどを封筒に封入してダイレクトメールとして送る場合でも、封筒の内側面となったエリアや、接着されたフラップ部分などのエリアとして、従来広告エリアとして利用できない制約があったエリアについても、広告エリアとして利用できるようにして、できるだけ少ないコストでより多くの情報量を送れるようにした封筒用紙及び封筒を提供する。
【課題を解決するための手段】
【０００６】
本発明の封筒用紙は、封筒表紙片と封筒裏紙片とが紙片折り畳み予定線を境にして連接され、前記封筒表紙片の前記封筒裏紙片が連接されていない他の３周縁側に、３本のフラップ折り畳み予定線を境にして３つのフラップがそれぞれ連接された封筒用紙において、
前記紙片折り畳み予定線から前記封筒表紙片と前記封筒裏紙片が折り畳まれ、前記３本のフラップ折り畳み予定線から前記３つのフラップがそれぞれ折り畳まれた場合に、前記封筒裏紙片と前記３つのフラップが重なり合う部分に、それぞれ加圧することで接着し、接着後に剥離可能な接着剤層が設けられていることを特徴とする。
【０００７】
また、本発明の封筒は、請求項１記載の封筒用紙から構成される封筒において、前記封筒裏紙片が、前記紙片折り畳み予定線から前記封筒表紙片上に折り畳まれ、前記３つのフラップのうち少なくとも２つのフラップが前記フラップ折り畳み予定線から前記封筒裏面片の上側に折り畳まれ、前記２つのフラップと前記封筒裏紙片が重なり合う部分が、加圧により接着されていることを特徴とする。
【０００８】
更に、本発明の封筒は、請求項１記載の封筒用紙から構成される封筒において、前記３つのフラップのうち少なくとも２つのフラップが前記フラップ折り畳み予定線から前記封筒表紙片の裏面側に折り畳まれ、前記封筒裏紙片が、前記２つのフラップの上側に折り畳まれ、前記２つのフラップと前記封筒裏紙片が重なり合う部分が、加圧により接着されていることを特徴とする。
【０００９】
更に、本発明の封筒は、前記フラップ折り畳み予定線から折り畳まれるフラップに、広告情報が表示されていることを特徴とする。
【発明の効果】
【００１０】
本発明の封筒用紙は、封筒用紙の表裏面の全面に、加圧することで接着し、接着後に剥離可能な接着剤層が設けられているので、加圧するだけで簡単に封書が作成でき、更に加圧し接着させた部分を封書の受取人が剥離させることができるので、接着されたフラップ部分などのエリアも広告エリアとして利用できるという効果がある。
【００１１】
また、本発明の封筒は、封筒裏紙片と３つのフラップが重なり合う部分に、接着後に剥離可能な接着剤が設けられ、封筒裏紙片と３つのフラップが剥離可能な状態で接着されているので、封筒の受取人が、封筒裏紙片から３つのフラップを剥離させることができ、封筒を１枚のシート状に広げることができるので、広告チラシなどを封筒に封入してダイレクトメールとして送る場合でも、封筒の内側面となったエリアや、接着されたフラップ部分などのエリアも広告エリアとして利用でき、従来よりも少ないコストでより多くの情報量を送れるという効果がある。
【００１２】
また、本発明の封筒は、３つのフラップのうち、少なくとも１つのフラップの封筒裏紙片と重なり合う面の領域に、広告情報が表示されているので、従来接着部分として広告エリアとして利用できなかった部分も広告エリアとして活用することができるので、従来よりも少ないコストでより多くの情報量を送れるという効果がある。
【図面の簡単な説明】
【００１３】
【図１】本発明の実施形態に係る封筒用紙であって、封筒表紙片の裏側から封筒裏紙片と３つのフラップを見開き状態にした平面図である。
【図２】図１のＡ−Ａ線断面図である。
【図３】本発明の実施形態に係る封筒用紙であって、図１の状態の封筒用紙を左右方向に裏返し状態にした平面図である。
【図４】本発明の実施形態に係る封筒用紙から封筒を作成する際に、図１の状態の封筒用紙から封筒裏紙片を封筒表紙片上に折り畳んだ状態を示す平面図である。
【図５】図１のＢ−Ｂ線断面図である。
【図６】本発明の実施形態に係る封筒において、封緘用のフラップを開いた状態を示す平面図である。
【図７】本発明の実施形態に係る封筒の裏面側の平面図である。
【発明を実施するための形態】
【００１４】
以下、本発明の実施形態に係る封筒用紙及び封筒を図面に基づいて詳細に説明する。
本発明の実施形態に係る封筒用紙２は、図１及び図３に示すように、封筒表紙片３と封筒裏紙片４とが紙片折り畳み予定線５を境にして連接され、前記封筒表紙片３の前記封筒裏紙片４が連接されていない他の３周縁側に、３本のフラップ折り畳み予定線６，７，８を境にして３つのフラップ９，１０，１１がそれぞれ連接された構成を有している。
【００１５】
封筒表紙片３には、所定部分に透明フィルム１５が接着剤１７により貼り付けられた窓部１６が設けられ、封筒内に封入された用紙に表示された宛先を外部から目視できるように構成されている。
また、３つのフラップ９，１０，１１には、３本のフラップ折り畳み予定線６，７，８から折り畳む側の面上に、接着後にも剥離可能な感圧性接着剤１２，１３，１４が設けられている。
この接着後にも剥離可能な感圧性接着剤１２，１３，１４は、既に公知の感圧性接着剤を用いることができ、特に一定の圧力を加えることで接着状態にすることができ、必要に応じて接着された２枚の用紙を引っ張ることで引き剥がせることが可能な感圧性接着剤を用いることが好ましい。
【００１６】
また、図３に示すように、紙片折り畳み予定線５から封筒裏紙片４を折り畳んだ際に、外側になる封筒裏紙片４の外側の３周縁部分にも接着後にも剥離可能な感圧性接着剤１８，１９，２０が設けられている。
図４に示すように、３つのフラップ９，１０，１１に設けられている接着後にも剥離可能な感圧性接着剤１２，１３，１４と、封筒裏紙片４の外側の３周縁部分に設けられている接着後にも剥離可能な感圧性接着剤１８，１９，２０とは、紙片折り畳み予定線５から封筒裏紙片４を封筒表紙片３上に折り畳んだ後に、３本のフラップ折り畳み予定線６，７，８から３つのフラップ９，１０，１１を折り畳んだ際に、これらの感圧性接着剤１８，１９，２０が塗布された領域と、感圧性接着剤１２，１３，１４が塗布された領域と、が重なり合う位置にそれぞれ塗布されている。
【００１７】
これにより、封筒用紙２を用いて封筒１を作成する場合でも、感圧性接着剤１８，１９，２０が塗布された領域と、感圧性接着剤１２，１３，１４が塗布された領域とが重なり合う位置に加圧させることで、それらの部分を接着後にも剥離可能な状態で接着させることができるように構成されている。
これらの接着後にも剥離可能な感圧性接着剤の一例としては、例えば天然ゴム１００重量部に対して、スチレン２重量部とメタクリル酸メチル１０重量部とをグラフト共重合させて得られた天然ゴムラテックスに、テルペン樹脂系粘着付与剤５重量部を添加して感圧性のベース接着剤とし、更にこのベース接着剤１００重量部に対して、平均粒径５μｍのシリカゲル２０重量部を添加してなるものなどがあるが、この他にも種々の感圧性接着剤を用いることができる。
【００１８】
また、本発明の封筒用紙２は、封筒の状態から接着部分を剥離可能に構成されているので、３つのフラップの接着領域にも所望の広告情報２１を表示させることができる。
つまり、本発明の封筒用紙２では、封筒用紙２の所定部分を折り畳んで接着させた接着領域についても制約がないので、その封筒１の受取人が剥離させてシート状態に広げることができるので、封筒１をダイレクトメールとして用いる場合でも、封筒用紙２の全面に広告情報を表示させて販売促進用の媒体として利用することができる。
また、封筒１の受取人にわかりやすいようにするために、封筒１の外側の所望の部分に、この封筒の使用方法として、３つのフラップ９，１０，１１が指で簡単にめくり上げて、その接着部分を剥離できる旨の記載を表示しておくことが好ましい。
【００１９】
次に、本発明の第１実施形態に係る封筒１ａについて説明する。
封筒用紙２を用いて作成された封筒１ａは、まず図４に示すように、紙片折り畳み予定線５から封筒裏紙片４を封筒表紙片３上に折り畳んだ後、左右の２本のフラップ折り畳み予定線６，８から２つのフラップ９，１１を折り畳み、その後に図７に示すように、封緘するために封緘用のフラップ１０をフラップ折り畳み予定線７から折り畳んだ後に、特に３つのフラップ９，１０，１１の上側から加圧して、接着剤１８，１９，２０により剥離可能な状態で接着している構成からなる。
【実施例】
【００２０】
５５〜１３５ｋｇの用紙（商品名：ＤＦカラーＭ/三菱製紙社製）の表裏面に対して、ＵＶ硬化型のオフセットインキを用いて文字や絵柄からなる広告情報を含む印刷を行った。
次に、接着後にも剥離可能な感圧性接着剤（商品名：プラスサイズＯＰ５２５０/互応化学社製）を用いて、３つのフラップ９，１０，１１及び封筒裏紙片４の所定部分に塗布量４〜８ｇ/ｍ2で感圧性接着剤の塗布を行った。
【００２１】
そして、その用紙を窓開きタイプの封筒用紙２の形状になるように型抜きした後に、窓部１６に対して、フィルム（商品名：エコループ/旭化成社製）を貼り付けた。
その後、所定の封入用紙を内部に入れた状態になるようにして、封筒用紙２の３つのフラップ９，１０，１１を３本のフラップ折り畳み予定線６，７，８から折り畳んで、特に接着後にも剥離可能な感圧性接着剤が塗布されている部分に圧力（２００ｇ/６以下）を加えて、剥離可能に接着させて密封された封筒を作成した。
上記のようにして作成された封筒１ａは、３つのフラップ９，１０，１１をめくり上げることで、その部分が剥離されて、文字や絵柄からなる広告情報２１を見ることができた。
【００２２】
上記のように、本発明の封筒１ａは、封筒用紙の全面を文字や絵柄からなる広告情報２１の表示領域として利用することができるので、従来よりも少ないコストでより多くの情報量を送ることができ、更に、受取人に対して斬新なイメージを与えることで、開封率の向上も期待できるので、ダイレクトメールなどに用いる場合に従来の封筒以上の効果が期待できる。
【００２３】
次に、本発明の第２実施形態に係る封筒１ｂについて説明する。
第２実施形態に係る封筒１ｂでは、図示されていないが、まず第１実施形態に係る封筒１ａと同様な形状を有する封筒用紙を用いるが、異なる部分としては、図１に示す、接着後にも剥離可能な感圧性接着剤１２，１４が塗布されている部分と、図３に示す、接着後にも剥離可能な感圧性接着剤１８，１９，２０塗布されている部分と、がいずれも第１実施形態に係る封筒１ａの場合とは、用紙の表裏逆面側に塗布されている封筒用紙を用いる。
【００２４】
したがって、第２実施形態に係る封筒１ｂは、３つのフラップのうち少なくとも２つのフラップ９，１１が前記フラップ折り畳み予定線６，８から前記封筒表紙片３の裏面側に折り畳まれ、前記封筒裏紙片４が、前記２つのフラップ９，１１の上側に折り畳まれ、前記２つのフラップ９，１１と前記封筒裏紙片４が重なり合う部分が、加圧により接着されている構成を有している。
つまり、第２実施形態に係る封筒１ｂは、封筒裏紙片４の上側に２つのフラップ９，１１が折り畳まれて重ねられている。
【００２５】
この封筒１ｂの場合でも、封筒裏紙片４と２つのフラップ９，１１とが、接着後にも剥離可能な感圧性接着剤により接着されているので、その封筒の受取人がフラップの部分を剥離させて、フラップ面に表示されている内容を見ることができるようになっている。
【符号の説明】
【００２６】
１  封筒
２  封筒用紙
３  封筒表紙片
４  封筒裏紙片
５  紙片折り畳み予定線
６，７，８  フラップ折り畳み予定線
９，１０，１１  フラップ
１２，１３，１４，１８，１９，２０  接着後にも剥離可能な感圧性接着剤
１５  透明フィルム
１６  窓部
１７  接着剤
２１  広告情報
【図１】
2012086844.tif 000003
【図２】
2012086844.tif 000004
【図３】
2012086844.tif 000005
【図４】
2012086844.tif 000006
【図５】
2012086844.tif 000007
【図６】
2012086844.tif 000008
【図７】
2012086844.tif 000009